(57)【特許請求の範囲】
【請求項１】
上端部と下端部にそれぞれ前端面に開放する第１の切欠部と第２の切欠部が前後方向に沿って形成されるとともに、後端部の内面には上下方向に沿う挿入溝が形成された一対の側板と、
幅方向両側に一対の第３の切欠部が形成されこの第３の切欠部を上記側板の第１の切欠部に係合させて設けられる天板と、
幅方向両側に上記一対の第３の切欠部と同じ間隔で一対の第４の切欠部が形成されこの第４の切欠部を上記側板の第２の切欠部に係合させて設けられる底板と、
上記側板の上記第２の切欠部の下側の部分とほぼ同じ高さ寸法に形成されていて、幅方向両端面にガイドピンが設けられこのガイドピンを上記一対の側板の上記第２の切欠部よりも下端部の内面に開口して設けられたガイド孔に挿入して取付けられた前板と、
一対の側板の挿入溝に幅方向両端部を係合させて保持される後板と、
上記天板の後端面と上記底板の後端面とをそれぞれ上記後板の上端部と下端部とに連結固定するねじと、
上記側板の上端部の内面に前後方向に沿って設けられたガイドレールと、
このガイドレールに沿ってスライド可能に設けられた引出しと
を具備したことを特徴とする組立て式家具。
【発明の詳細な説明】
【０００１】
【発明の属する技術分野】
この発明は組立て作業を容易に行なうことができる箱形状の組立て式家具に関する。
【０００２】
【従来の技術】
たとえば、ベッド用のナイトテーブルや小物入れなどに用いられる家具は箱形状に構成される。箱形状の家具は組立て状態での形状が大きくなるため、工場での保管や出荷時に運搬に不便であるということがある。
【０００３】
そこで、そのような家具を組立て式とし、分解状態で保管及び出荷し、購入者に組立ててもらうことで、保管や運搬の容易化を図るようにしている。
【０００４】
【発明が解決しようとする課題】
従来、箱形状の組立て式家具は、側板、天板、底板及び後板を有し、これらの各部材をねじで結合しながら箱形状に組立てる構造が一般的であった。しかしながら、各部材をねじで結合して組立てる場合、ねじの数が多くなるから、組立て作業に手間が掛かるということがあったり、組立てられた家具の上面、前面あるいは側面にねじが露出するため、外観の低下を招くなどのことがあった。
【０００５】
この発明は、容易に組立てることができるとともに、組立てた状態でねじが前面や側面などに露出しないようにした組立て式家具を提供することにある。
【０００６】
【課題を解決するための手段】
請求項１の発明は、上端部と下端部にそれぞれ前端面に開放する第１の切欠部と第２の切欠部が前後方向に沿って形成されるとともに、後端部の内面には上下方向に沿う挿入溝が形成された一対の側板と、
幅方向両側に一対の第３の切欠部が形成されこの第３の切欠部を上記側板の第１の切欠部に係合させて設けられる天板と、
幅方向両側に上記一対の第３の切欠部と同じ間隔で一対の第４の切欠部が形成されこの第４の切欠部を上記側板の第２の切欠部に係合させて設けられる底板と、
上記側板の上記第２の切欠部の下側の部分とほぼ同じ高さ寸法に形成されていて、幅方向両端面にガイドピンが設けられこのガイドピンを上記一対の側板の上記第２の切欠部よりも下端部の内面に開口して設けられたガイド孔に挿入して取付けられた前板と、
一対の側板の挿入溝に幅方向両端部を係合させて保持される後板と、
上記天板の後端面と上記底板の後端面とをそれぞれ上記後板の上端部と下端部とに連結固定するねじと、
上記側板の上端部の内面に前後方向に沿って設けられたガイドレールと、
このガイドレールに沿ってスライド可能に設けられた引出しと
を具備したことを特徴とする組立て式家具にある。
【０００８】
請求項１の発明によれば、側板に対して天板と底板とを、これらに形成された切欠部を互いに係合させて組立てるようにしたから、ねじを締め付けて組立てる場合に比べて作業性がよく、しかもねじが前面や上面あるいは側面などに露出して外観の低下を招くのを防止することもできる。
【０００９】
また、一対の側板間の空間部に引出しを設けることで、この空間部を有効に利用することができる。
【００１０】
【発明の実施の形態】
以下この発明の実施の形態を図面を参照しながら説明する。
【００１１】
図１乃至図８はこの発明の一実施の形態を示す。図１と図２に示すこの発明の組立て式家具１は一対の側板２、天板３、底板４、前板５、後板６及び引出し７から構成されている。
【００１２】
上記側板２には、上端部と下端部とにそれぞれ一端を前端面に開放した第１の切欠部１１と第２の切欠部１２とが前後方向に沿って形成されている。さらに、側板２の内面の後端側には上下方向沿って側部挿入溝１４が形成されている。この側部挿入溝１４は、下端が側板２の下端面に開放し、上端は側板２の上端面に開放せず、上端面よりもわずかに下方に位置している。また、側板２の上端部には前後方向に沿ってガイドレール１５が設けられ、下端部には内面に開口したガイド孔１６が形成されている。
【００１３】
図７（ａ）、（ｂ）に示すように、上記天板３は、後端部３ａと、この後端部３ａよりも幅寸法の大きな前端部３ｂとを有し、前端部３ｂの両側に後端部３ａ側に開放した第３の切欠部２２が上記側板２の厚さとほぼ同じ幅寸法で形成されている。
【００１４】
天板３の後端部３ａの下面後端には段部２３が形成され、さらに後端部の幅方向両端部には上記段部２３の端面に開放した取付け孔２４が形成されている。天板３の後端部３ａには、一対の取付け孔２４にねじ孔（図示せず）を突出させた連結ナット２５が埋設されている。
【００１５】
上記天板３は、その第３の切欠部２２を一対の側板２の第１の切欠部１１に係合させている。それによって、天板３は一対の側板２を、上記天板３の後端部３ａの幅寸法とほぼ同じ幅寸法で連結される。一対の側板２の上端部に天板３を取付けることで、側板２に形成された側部挿入溝１４の上端が上記天板３に形成された段部２３の端面と一致する。
【００１６】
図１に示すように、上記前板５は、上記側板２の第１の切欠部１１の下側の部分の高さ寸法とほぼ同じ高さ寸法に形成されていて、その幅方向両端面にはそれぞれガイドピン２６が突設されている。前板５は、一対のガイドピン２６を側板２のガイド孔１６に嵌合させて組み付けられる。
【００１７】
上記底板４は上記天板３とほぼ同じ形状に形成されている。つまり、底板４は、一対の側板２の間隔とほぼ同じ幅寸法の後端部４ａと、この後端部４ａよりも幅寸法の大きな前端部４ｂとからなり、前端部４ｂの幅方向両側には後端部４ａの幅寸法とほぼ同じ幅寸法で一対の第４の切欠部２７が形成されている。
【００１８】
図８（ａ）、（ｂ）に示すように、底板４の後端部４ａには、後端面に開放する取付け孔２８が前後方向に沿って形成されている。底板４には、その下面から上記取付け孔２８に突出するよう連結ナット２９が埋設されている。そして、上記底板４は、第４の切欠部２２を側板２の下端部の第２の切欠部１２に嵌合させて組み付けられる。
【００１９】
上記後板６は、上記側板２の下端側から幅方向両端部を側部挿入溝１４に挿入される。後板６を上端が側部挿入溝１４の上端に当接するまで挿入すると、その上端部は天板３の段部２３に係合する。この後板６の上端部と下端部には、それぞれ上端部を段部２３に係合させた状態で上記天板３の一対の取付け孔２４と底板４の一対の取付け孔２８にそれぞれ対応する通孔３１が形成されている。
【００２０】
各通孔３１からは、上記取付け孔２４，２８に設けられた連結ナット２４に連結手段であるねじ３２がねじ込まれる。それによって、天板３と底板４とは、後板６に連結固定されるから、これら天板３と底板４とが側板２から脱落するのが阻止され、また後板６が側部挿入溝１４から脱落するのも防止される。
【００２１】
上記引出し７は両側外面に上記側板２の内面に設けられたガイドレール１５にスライド可能に係合するガイド溝３３が形成されている。したがって、一対の側板２間の天板３の下面側の空間部には上記引出し７が出し入れ可能に設けられる。なお、側板２にガイド溝３３を形成する代わりに、図示しないが、上記ガイドレール１５にスライド可能に係合する係合部材を設けるようにしてもよい。
【００２２】
上記構成の組立て式家具１は次の手順で組立てられる。まず、一対の側板２の上端部の第１の切欠部１１に天板３の第３の切欠部２２を係合させて側板２と天板３とを組んだならば、側板２の前端側の下部に前板５を取付ける。ついで、側板２の第２の切欠部１２に底板４の第４の切欠部２７を係合させて底板４を側板２に組み込んだのち、後板６を側板２の下端側から側部挿入溝１４に両端部を挿入して組み込む。そして、後板６の通孔３１から天板３の取付け孔２４と、底板４の取付け孔２８の連結ナット２９にねじ３２をねじ込んだのち、一対の側板２間に引出し７を挿入することで、組立て式家具１が組立てられる。
【００２３】
このような構成の組立て式家具１によれば、側板２と天板３との組立ては、側板２の上端部に形成された第１の切欠部１１と、天板３に形成された第３の切欠部２２とを係合させるだけでよく、また前板５と側板２との組立ては、前板５の両端面のガイドピン２６を側板２のガイド孔１６に嵌合させるだけでよい。
【００２４】
さらに、底板４は、幅方向両側に形成された第４の切欠部２７を、側板２に形成された第２の切欠部１２に係合させるだけでよく、さらに後板６は側板２に形成された側部挿入溝１４に幅方向両端部を係合させて挿入し、上端部を天板３に形成された段部２３に係合させる。そして、後板６をねじ３２によって天板３と底板４に連結すれば、この後板６を介して天板３と底板４とを側板２に対してスライド不能に固定することができる。
【００２５】
つまり、上記構成の組立て式家具１を組立てるには、後板６と天板３及び底板４との連結だけにねじ３２を用い、他の個所にはねじを用いずにすむため、組立て作業を容易に、しかも迅速に行なうことができる。とくに、側板２に対する天板３と底板４の組立ては、側板２に形成された第１、第２の切欠部１１，１２の切欠部１１に、天板３に形成された第３の切欠部２２及び底板４に形成された第４の切欠部２７を係合させるだけでよいから、簡単である。
【００２６】
後板６を天板３及び底板４に固定する個所だけにねじ３２を用いているため、組立て式家具１の上面、前面及び側面にはねじが露出することがない。つまり、上記ねじ３２が背面側に露出するだけであるから、組立て式家具１の外観が損なわれるようなことがない。
【００２７】
一対の側板２間には空間部が形成されるが、その空間部の上部には引出し７を出し入れ可能に設けるようにしたから、内部空間の有効利用が図れる。内部空間の有効利用としては、引出し７だけでなく、底板４の上面を雑誌や小物類などの載置面としても利用することができる。
【００２８】
図９はこの発明の他の実施の形態を示す。この実施の形態は、一対の側板２間に、引出し７に代わり、棚板３５を設けるようにした。つまり、一対の側板２の内面の高さ方向中途部にはそれぞれ受け桟３６を前後方向に沿って設け、これら受け桟３６に上記棚板３１の幅方向両端部を係合させて架設するようにした。
【００２９】
このような構成であっても、一対の側板２間の空間部を有効に利用することができる。
【００３０】
【発明の効果】
この発明によれば、側板に対して天板と底板とは、これらに形成された切欠部を互いに係合させることで組立てることができ、側板の挿入溝に端部を挿入して組立てられる後板だけがねじによって底板に連結して組立てられる。
【００３１】
そのため、ねじの使用が組立て式家具の背面側だけですむから、たくさんのねじを用いる場合に比べて作業性よく組立てることができ、しかもねじが前面、上面あるいは側面に露出することがないから、外観的に良好である。
【００３２】
また、一対の側板間の空間部に引出しを設けるようにしたから、一対の側板間の空間部を有効に利用することができる。
【図面の簡単な説明】
【図１】この発明の一実施の形態に係る組立て式家具の分解斜視図。
【図２】組立て式家具を組立てた状態の斜視図。
【図３】組立て状態の正面図。
【図４】同じく側面図。
【図５】同じく縦断面図。
【図６】側板の内面の側面図。
【図７】（ａ）は底板の平面図、（ｂ）は図７（ａ）のＸ−Ｘ線に沿う断面図。
【図８】（ａ）は天板の下面側を示す平面図、（ｂ）は図８（ａ）のＹ−Ｙ線に沿う断面図。
【図９】この発明の他の実施の形態を示す組立て式家具の正面図。
【符号の説明】
２…側板
３…天板
４…底板
１１…第１の切欠部
１２…第２の切欠部
１４…側部挿入溝
２２…第３の切欠部
２６…ねじ（連結手段）
２７…第４の切欠部
【図１】
0003643757.tif 000002
【図２】
0003643757.tif 000003
【図３】
0003643757.tif 000004
【図４】
0003643757.tif 000005
【図５】
0003643757.tif 000006
【図６】
0003643757.tif 000007
【図７】
0003643757.tif 000008
【図８】
0003643757.tif 000009
【図９】
0003643757.tif 000010